【手続補正書】
【提出日】平成19年6月4日(2007.6.4)
【手続補正１】
【補正対象書類名】明細書
【補正対象項目名】特許請求の範囲
【補正方法】変更
【補正の内容】
【特許請求の範囲】
【請求項１】  シート１の背凭シート３の側部に、横方向のカラー１０の外周に嵌合させたロックスプリング１１のコイル部１２と前記カラー１０との摩擦により着座者による操作部材の操作を行うことなく高さ調節自在にするアームレストのロック装置Ｌを設け、該ロック装置Ｌは、コイル部１２の一端の固定側端部１５を固定状態とし、前記コイル部１２の他端である自由端２０を切替カム溝２４に継脱させてロック状態とアンロック状態とに切替自在に構成し、前記切替カム溝２４にはコイル部１２の直径を変化させずにアンロック状態とするアンロック用カム面２２および該アンロック用カム面２２に自由端２０を案内する案内カム面２３を夫々形成し、前記カラー１０には、自由端２０の移動を停止させて切替カム溝２４に嵌合させるアンロック用当接部３２と、アンロック用カム面２２に当接している自由端２０を軸方向に移動させて切替カム溝２４より離脱させるアンロック解除部３７との夫々を設けた当接部材３０を設けて構成したアームレストの高さ調節装置。
【請求項２】  シート１の背凭シート３の側部に、横方向のカラー１０の外周にロックスプリング１１のコイル部１２を嵌合させ、コイル部１２とカラー１０との摩擦により着座者による操作部材の操作を行うことなく高さ調節自在にするロック装置Ｌを設け、該ロック装置Ｌは、コイル部１２の一端の固定側端部１５は背凭ブラケット６側に固定し、コイル部１２の他端である自由端２０は背凭ブラケット６側に設けた切替カム溝２４に継脱自在とし、切替カム溝２４にはコイル部１２の直径を変化させずにアンロック状態とするアンロック用カム面２２および該アンロック用カム面２２に自由端２０を案内する案内カム面２３を夫々形成し、前記カラー１０には、自由端２０の移動を停止させて切替カム溝２４に嵌合させるアンロック用当接部３２と、アンロック用カム面２２に当接している自由端２０を軸方向に移動させて切替カム溝２４より離脱させるアンロック解除部３７との夫々を設けた当接部材３０を設けて構成したアームレストの高さ調節装置。
【請求項３】  シート１の背凭シート３の側部に、横方向のシャフト７によりアームレスト４を回動自在に設け、前記シャフト７の外周に設けたカラー１０を前記アームレスト４のアームレストフレーム８に固定し、カラー１０と背凭シート３の背凭ブラケット６との間には、着座者による操作部材の操作を行うことなく、アームレスト４の使用範囲Ａではアームレスト４の下方回動はロックし且つ上方回動のみ自在にして高さ調節可能にし、前記使用範囲Ａの上限位置と同じかそれより越えた位置の所定の格納範囲Ｂではアンロック状態になって上下回動自在とし、前記格納範囲Ｂから前記使用範囲Ａの最下方位置まで下方回動させると、下方回動のロック可能状態に復帰させるロック装置Ｌを設け、該ロック装置Ｌは、前記カラー１０の外周にロックスプリング１１の巻き方向をアームレスト４を下方回動させると直径が小になるようにしたコイル部１２を嵌合させ、コイル部１２の一端である固定側端部１５は背凭ブラケット６側に形成し、コイル部１２の他端である自由端２０は背凭ブラケット６側に設けた切替カム溝２４に継脱自在とし、自由端２０が切替カム溝２４に嵌合するとコイル部１２の直径を変化させずにアンロック状態とし、切替カム溝２４から離脱すると、前記コイル部１２の径を小さくしてロック状態とするように構成し、前記切替カム溝２４は背凭ブラケット６側にカラー１０の軸心方向と略平行の略Ｕ型形状に形成し、切替カム溝２４には、前記自由端２０が弾力的に当接して係合するアンロック用カム面２２および該アンロック用カム面２２に自由端２０が弾力的に当接するように切替カム溝２４に案内する案内カム面２３を夫々形成し、案内カム面２３の先端とアンロック用カム面２２の外端縁との間には自由端２０が通り抜け可能な隙間２６を設け、前記カラー１０には、自由端２０をコイル部１２の径拡大方向に移動させて切替カム溝２４に嵌合させるアンロック用当接部３２と、アンロック用カム面２２に弾力的に当接している自由端２０を軸方向に移動させて切替カム溝２４より離脱させるアンロック解除部３７との夫々を設けた当接部材３０を設けて構成したアームレストの高さ調節装置。
【請求項４】  請求項１または請求項２または請求項３において、前記アンロック用カム面２２は切替カム溝２４内のアームレスト４の下方回動方向側にカラー１０の軸心方向と略平行な面形状に形成し、前記案内カム面２３はアームレスト４の上方回動方向側の切替カム溝２４に先端に至るに従い切替カム溝２４の開口方向側であってアンロック用カム面２２に近づくように傾斜させて形成したアームレストの高さ調節装置。
【請求項５】  請求項１または請求項２または請求項３または請求項４において、前記当接部材３０のアンロック用当接部３２の後側の周縁は、アンロック用当接部３２の端縁と同一面のアンロック保持面３３に形成し、アンロック保持面３３に続く板部材３１の後側周縁には交差方向の外れ防止面３４を設けたアームレストの高さ調節装置。
【手続補正２】
【補正対象書類名】明細書
【補正対象項目名】０００６
【補正方法】変更
【補正の内容】
【０００６】
【課題を解決するための手段】
本発明は、シート１の背凭シート３の側部に、横方向のカラー１０の外周に嵌合させたロックスプリング１１のコイル部１２と前記カラー１０との摩擦により着座者による操作部材の操作を行うことなく高さ調節自在にするアームレストのロック装置Ｌを設け、該ロック装置Ｌは、コイル部１２の一端の固定側端部１５を固定状態とし、前記コイル部１２の他端である自由端２０を切替カム溝２４に継脱させてロック状態とアンロック状態とに切替自在に構成し、前記切替カム溝２４にはコイル部１２の直径を変化させずにアンロック状態とするアンロック用カム面２２および該アンロック用カム面２２に自由端２０を案内する案内カム面２３を夫々形成し、前記カラー１０には、自由端２０の移動を停止させて切替カム溝２４に嵌合させるアンロック用当接部３２と、アンロック用カム面２２に当接している自由端２０を軸方向に移動させて切替カム溝２４より離脱させるアンロック解除部３７との夫々を設けた当接部材３０を設けて構成したアームレストの高さ調節装置としたものである。
本発明は、シート１の背凭シート３の側部に、横方向のカラー１０の外周にロックスプリング１１のコイル部１２を嵌合させ、コイル部１２とカラー１０との摩擦により着座者による操作部材の操作を行うことなく高さ調節自在にするロック装置Ｌを設け、該ロック装置Ｌは、コイル部１２の一端の固定側端部１５は背凭ブラケット６側に固定し、コイル部１２の他端である自由端２０は背凭ブラケット６側に設けた切替カム溝２４に継脱自在とし、切替カム溝２４にはコイル部１２の直径を変化させずにアンロック状態とするアンロック用カム面２２および該アンロック用カム面２２に自由端２０を案内する案内カム面２３を夫々形成し、前記カラー１０には、自由端２０の移動を停止させて切替カム溝２４に嵌合させるアンロック用当接部３２と、アンロック用カム面２２に当接している自由端２０を軸方向に移動させて切替カム溝２４より離脱させるアンロック解除部３７との夫々を設けた当接部材３０を設けて構成したアームレストの高さ調節装置としたものである。
本発明は、シート１の背凭シート３の側部に、横方向のシャフト７によりアームレスト４を回動自在に設け、前記シャフト７の外周に設けたカラー１０を前記アームレスト４のアームレストフレーム８に固定し、カラー１０と背凭シート３の背凭ブラケット６との間には、着座者による操作部材の操作を行うことなく、アームレスト４の使用範囲Ａではアームレスト４の下方回動はロックし且つ上方回動のみ自在にして高さ調節可能にし、前記使用範囲Ａの上限位置と同じかそれより越えた位置の所定の格納範囲Ｂではアンロック状態になって上下回動自在とし、前記格納範囲Ｂから前記使用範囲Ａの最下方位置まで下方回動させると、下方回動のロック可能状態に復帰させるロック装置Ｌを設け、該ロック装置Ｌは、前記カラー１０の外周にロックスプリング１１の巻き方向をアームレスト４を下方回動させると直径が小になるようにしたコイル部１２を嵌合させ、コイル部１２の一端である固定側端部１５は背凭ブラケット６側に形成し、コイル部１２の他端である自由端２０は背凭ブラケット６側に設けた切替カム溝２４に継脱自在とし、自由端２０が切替カム溝２４に嵌合するとコイル部１２の直径を変化させずにアンロック状態とし、切替カム溝２４から離脱すると、前記コイル部１２の径を小さくしてロック状態とするように構成し、前記切替カム溝２４は背凭ブラケット６側にカラー１０の軸心方向と略平行の略Ｕ型形状に形成し、切替カム溝２４には、前記自由端２０が弾力的に当接して係合するアンロック用カム面２２および該アンロック用カム面２２に自由端２０が弾力的に当接するように切替カム溝２４に案内する案内カム面２３を夫々形成し、案内カム面２３の先端とアンロック用カム面２２の外端縁との間には自由端２０が通り抜け可能な隙間２６を設け、前記カラー１０には、自由端２０をコイル部１２の径拡大方向に移動させて切替カム溝２４に嵌合させるアンロック用当接部３２と、アンロック用カム面２２に弾力的に当接している自由端２０を軸方向に移動させて切替カム溝２４より離脱させるアンロック解除部３７との夫々を設けた当接部材３０を設けて構成したアームレストの高さ調節装置としたものである。
本発明は、前記アンロック用カム面２２は切替カム溝２４内のアームレスト４の下方回動方向側にカラー１０の軸心方向と略平行な面形状に形成し、前記案内カム面２３はアームレスト４の上方回動方向側の切替カム溝２４に先端に至るに従い切替カム溝２４の開口方向側であってアンロック用カム面２２に近づくように傾斜させて形成したアームレストの高さ調節装置としたものである。
本発明は、前記当接部材３０のアンロック用当接部３２の後側の周縁は、アンロック用当接部３２の端縁と同一面のアンロック保持面３３に形成し、アンロック保持面３３に続く板部材３１の後側周縁には交差方向の外れ防止面３４を設けたアームレストの高さ調節装置としたものである。
【手続補正３】
【補正対象書類名】明細書
【補正対象項目名】００３６
【補正方法】変更
【補正の内容】
【００３６】
【効果】
本発明は、シート１の背凭シート３の側部に、横方向のカラー１０の外周に嵌合させたロックスプリング１１のコイル部１２と前記カラー１０との摩擦により着座者による操作部材の操作を行うことなく高さ調節自在にするアームレストのロック装置Ｌを設け、該ロック装置Ｌは、コイル部１２の一端の固定側端部１５を固定状態とし、前記コイル部１２の他端である自由端２０を切替カム溝２４に継脱させてロック状態とアンロック状態とに切替自在に構成し、前記切替カム溝２４にはコイル部１２の直径を変化させずにアンロック状態とするアンロック用カム面２２および該アンロック用カム面２２に自由端２０を案内する案内カム面２３を夫々形成し、前記カラー１０には、自由端２０の移動を停止させて切替カム溝２４に嵌合させるアンロック用当接部３２と、アンロック用カム面２２に当接している自由端２０を軸方向に移動させて切替カム溝２４より離脱させるアンロック解除部３７との夫々を設けた当接部材３０を設けて構成したアームレストの高さ調節装置、および、シート１の背凭シート３の側部に、横方向のカラー１０の外周にロックスプリング１１のコイル部１２を嵌合させ、コイル部１２とカラー１０との摩擦により着座者による操作部材の操作を行うことなく高さ調節自在にするロック装置Ｌを設け、該ロック装置Ｌは、コイル部１２の一端の固定側端部１５は背凭ブラケット６側に固定し、コイル部１２の他端である自由端２０は背凭ブラケット６側に設けた切替カム溝２４に継脱自在とし、切替カム溝２４にはコイル部１２の直径を変化させずにアンロック状態とするアンロック用カム面２２および該アンロック用カム面２２に自由端２０を案内する案内カム面２３を夫々形成し、前記カラー１０には、自由端２０の移動を停止させて切替カム溝２４に嵌合させるアンロック用当接部３２と、アンロック用カム面２２に当接している自由端２０を軸方向に移動させて切替カム溝２４より離脱させるアンロック解除部３７との夫々を設けた当接部材３０を設けて構成したアームレストの高さ調節装置としたものであるから、従来のようにロック装置を直接操作する操作部材を省略してコストを低くし、また、ラッチとラチェットの組合せようなアームレストの回動ストロークの始端あるいは終端の何れかでラチェットを解除させることもなく、狭い車内でも操作を容易にし、また、先行技術に比して、切替カム溝２４にアンロック用カム面２２と案内カム面２３を形成したので、構成が簡素で、作動の確実性を向上させ、しかも、コストを低くできる。
【手続補正４】
【補正対象書類名】明細書
【補正対象項目名】００３７
【補正方法】変更
【補正の内容】
【００３７】
本発明は、シート１の背凭シート３の側部に、横方向のシャフト７によりアームレスト４を回動自在に設け、前記シャフト７の外周に設けたカラー１０を前記アームレスト４のアームレストフレーム８に固定し、カラー１０と背凭シート３の背凭ブラケット６との間には、着座者による操作部材の操作を行うことなく、アームレスト４の使用範囲Ａではアームレスト４の下方回動はロックし且つ上方回動のみ自在にして高さ調節可能にし、前記使用範囲Ａの上限位置と同じかそれより越えた位置の所定の格納範囲Ｂではアンロック状態になって上下回動自在とし、前記格納範囲Ｂから前記使用範囲Ａの最下方位置まで下方回動させると、下方回動のロック可能状態に復帰させるロック装置Ｌを設け、該ロック装置Ｌは、前記カラー１０の外周にロックスプリング１１の巻き方向をアームレスト４を下方回動させると直径が小になるようにしたコイル部１２を嵌合させ、コイル部１２の一端である固定側端部１５は背凭ブラケット６側に形成し、コイル部１２の他端である自由端２０は背凭ブラケット６側に設けた切替カム溝２４に継脱自在とし、自由端２０が切替カム溝２４に嵌合するとコイル部１２の直径を変化させずにアンロック状態とし、切替カム溝２４から離脱すると、前記コイル部１２の径を小さくしてロック状態とするように構成し、前記切替カム溝２４は背凭ブラケット６側にカラー１０の軸心方向と略平行の略Ｕ型形状に形成し、切替カム溝２４には、前記自由端２０が弾力的に当接して係合するアンロック用カム面２２および該アンロック用カム面２２に自由端２０が弾力的に当接するように切替カム溝２４に案内する案内カム面２３を夫々形成し、案内カム面２３の先端とアンロック用カム面２２の外端縁との間には自由端２０が通り抜け可能な隙間２６を設け、前記カラー１０には、自由端２０をコイル部１２の径拡大方向に移動させて切替カム溝２４に嵌合させるアンロック用当接部３２と、アンロック用カム面２２に弾力的に当接している自由端２０を軸方向に移動させて切替カム溝２４より離脱させるアンロック解除部３７との夫々を設けた当接部材３０を設けて構成したアームレストの高さ調節装置としたものであるから、先行技術に比して、切替カム溝２４にアンロック用カム面２２と案内カム面２３を形成したので、構成が簡素で、各構成部品の公差の集積が少なくロック開始および解除の位置ずれが少ない。
【手続補正５】
【補正対象書類名】図面
【補正対象項目名】図２
【補正方法】変更
【補正の内容】
【図２】
2004208721.tif 000001
【手続補正６】
【補正対象書類名】図面
【補正対象項目名】図３
【補正方法】変更
【補正の内容】
【図３】
2004208721.tif 000002